(57)【要約】【課題】  押出機ヘッド内において、上下及び左右を含めた全周に亘ってコンパウンドカスが溜まらないようにすること。【解決手段】  押出機ヘッド４に電線や導体等の心線２を通過させつつ、この心線２にコンパウンド３を被覆する押出被覆成型機１のコンパウンドカス除去方法であって、上記押出機ヘッド４の上流側の心線２を偏芯円運動させることで、押出機ヘッド４内の心線２を偏芯円運動させるようにした。【選択図】  図２
2005212148.tif 000002
【特許請求の範囲】
【請求項１】
押出機ヘッドに電線や導体等の心線を通過させつつ、この心線にコンパウンドを被覆する押出被覆成型機のコンパウンドカス除去方法であって、上記押出機ヘッドの上流側の心線を偏芯円運動させることで、押出機ヘッド内の心線を偏芯円運動させるようにしたことを特徴とする押出被覆成型機のコンパウンドカス除去方法。
【請求項２】
押出機ヘッドの口金に芯金を設け、該芯金に電線や導体等の心線を通過させつつ芯金と口金の間にコンパウンドを供給して、心線にコンパウンドを被覆する押出被覆成型機のコンパウンドカス除去方法であって、
押出機ヘッドの上流側に、心線を芯金に案内するケーブルガイドを配置し、該ケーブルガイドにより芯金の上流側の心線を偏芯円運動させることで、芯金内の心線を偏芯円運動させるようにしたことを特徴とする押出被覆成型機のコンパウンドカス除去方法。
【請求項３】
押出機ヘッドに電線や導体等の心線を通過させつつ、この心線にコンパウンドを被覆する押出被覆成型機のコンパウンドカス除去装置であって、上記押出機ヘッドの上流側に、心線を偏芯円運動させつつ押出機ヘッドに案内するケーブルガイドを配置し、該ケーブルガイドによって押出機ヘッド内の心線に偏芯円運動を与えることを特徴とする押出被覆成型機のコンパウンドカス除去装置。
【請求項４】
押出機ヘッドの口金に芯金を設け、該芯金に電線や導体等の心線を通過させつつ芯金と口金の間にコンパウンドを供給して、心線にコンパウンドを被覆する押出被覆成型機のコンパウンドカス除去装置であって、
押出機ヘッドの上流側に、心線を偏芯円運動させつつ芯金に案内するケーブルガイドを配置し、該ケーブルガイドによって芯金内の心線に偏芯円運動を与えることを特徴とする押出被覆成型機のコンパウンドカス除去装置。
【請求項５】
押出機ヘッドに電線や導体等の心線を案内すべく上記押出機ヘッドの上流側に配置されるケーブルガイドにおいて、
ケーブルガイド本体を鼓状に形成し、その中央の円周凹部を、心線の供給方向に対して傾斜させると共に、ガイド本体の回転中心より偏芯させて形成したことを特徴とするケーブルガイド。
【請求項６】
上記ケーブルガイド本体は、円錐の頂部を斜めに切断したもの同士を夫々の中心線を一致させて切断面で接合した鼓体と、該鼓体にその中心線から偏芯して設けられた回転軸とを有する請求項５記載のケーブルガイド。
【発明の詳細な説明】
【技術分野】
【０００１】
本発明は、シース押出作業等に用いられる押出機ヘッド内に溜まるコンパウンドカスを除去するコンパウンドカス除去方法及びコンパウンドカス除去装置並びにこれらに用いるケーブルガイドに関するものである。
【背景技術】
【０００２】
図４に示すように、押出被覆成型機１は、電線や導体等の心線２に樹脂等のコンパウンド３を被覆するシース押出作業等に用いられるものであり、上記心線２が通過される押出機ヘッド４を有する。
【０００３】
押出機ヘッド４は、心線２を位置決めしつつ通過させる円状の通路５が形成された芯金６と、芯金６を所定間隔を隔てて囲繞して設けられた口金７を備え、芯金６と口金７の間に図面上下方向から供給された加圧流動状態のコンパウンド３を口金７の先端部から押し出し、このコンパウンド３を心線２に被覆する。
【０００４】
ところで、かかる押出被覆成型機１においては、使用中に芯金６の先端部６ａにコンパウンド３のカスが徐々に溜まり、このカスがある程度溜まると材料（コンパウンド３、心線２）と共に押し出され、製品（心線２をコンパウンド３で被覆したもの）の外観に膨れが発生することがある（特許文献１参照）。
【０００５】
【特許文献１】特開平９−２２５９９４号公報
【発明の開示】
【発明が解決しようとする課題】
【０００６】
かかる芯金カスによる膨れ防止対策として、図４に示すように、押出機ヘッド４の上流側に心線２を芯金６に案内する偏芯ケーブルガイド８を配置し、このガイド８により芯金６の上流側の心線２を上下運動させることで、芯金６内の心線２を矢印Ａで示すように上下運動させ、上記カスを溜めないようにしたものがある。
【０００７】
偏芯ケーブルガイド８は、図３（ａ）、（ｂ）に示すように、二つの同一の截頭円錐９、９同士を截頭面で接続してなる鼓体１０と、鼓体１０にその中心Ｚ１から偏芯して設けられた回転軸１１を有する。なお、図中寸法Ｙは共に３５ｍｍである。このケーブルガイド８は、心線２が鼓体１０の中央の円周凹部１２に接触・案内されて回転軸１１廻りに回転され、心線２を上下運動させる。
【０００８】
しかし、上記偏芯ケーブルガイド８は、心線２を上下方向にのみ運動させるものであるため、図４に矢印Ａで示すように、芯金６内の心線２を上下方向にしか運動させることができない。このため、押出機ヘッド４内の芯金６の先端部６ａにおいて、上下にはコンパウンドカスが溜まらないが、左右にはコンパウンドカスが溜まってしまう。
【０００９】
そこで、本発明の目的は、押出機ヘッド内において、上下及び左右を含めた全周に亘ってコンパウンドカスが溜まらないようにした押出被覆成型機のコンパウンドカス除去方法及びコンパウンドカス除去装置並びにこれらに用いるケーブルガイドを提供することにある。
【課題を解決するための手段】
【００１０】
上記目的を達成するために、請求項１に係る発明は、押出機ヘッドに電線や導体等の心線を通過させつつ、この心線にコンパウンドを被覆する押出被覆成型機のコンパウンドカス除去方法であって、上記押出機ヘッドの上流側の心線を偏芯円運動させることで、押出機ヘッド内の心線を偏芯円運動させるようにしたものである。
【００１１】
請求項２に係る発明は、押出機ヘッドの口金に芯金を設け、該芯金に電線や導体等の心線を通過させつつ芯金と口金の間にコンパウンドを供給して、心線にコンパウンドを被覆する押出被覆成型機のコンパウンドカス除去方法であって、押出機ヘッドの上流側に、心線を芯金に案内するケーブルガイドを配置し、該ケーブルガイドにより芯金の上流側の心線を偏芯円運動させることで、芯金内の心線を偏芯円運動させるようにしたものである。
【００１２】
請求項３に係る発明は、押出機ヘッドに電線や導体等の心線を通過させつつ、この心線にコンパウンドを被覆する押出被覆成型機のコンパウンドカス除去装置であって、上記押出機ヘッドの上流側に、心線を偏芯円運動させつつ芯金に案内するケーブルガイドを配置し、該ケーブルガイドによって芯金内の心線に偏芯円運動を与えるものである。
【００１３】
請求項４に係る発明は、押出機ヘッドの口金に芯金を設け、該芯金に電線や導体等の心線を通過させつつ芯金と口金の間にコンパウンドを供給して、心線にコンパウンドを被覆する押出被覆成型機のコンパウンドカス除去装置であって、押出機ヘッドの上流側に、心線を偏芯円運動させつつ芯金に案内するケーブルガイドを配置し、該ケーブルガイドによって芯金内の心線に偏芯円運動を与えるものである。
【００１４】
請求項５に係る発明は、押出機ヘッドに電線や導体等の心線を案内すべく上記ヘッドの上流側に配置されるケーブルガイドにおいて、ケーブルガイド本体を鼓状に形成し、その中央の円周凹部を、心線の供給方向に対して傾斜させると共に、ガイド本体の回転中心より偏芯させて形成したものである。
【００１５】
請求項６に係る発明は、上記ケーブルガイド本体は、円錐の頂部を斜めに切断したもの同士を夫々の中心線を一致させて切断面で接合した鼓体と、該鼓体にその中心線から偏芯して設けられた回転軸とを有するものである。
【発明の効果】
【００１６】
本発明によれば、押出機ヘッドの上流側の心線を偏芯円運動させることで押出機ヘッド内の心線を偏芯円運動させているので、押出機ヘッド内において、上下及び左右を含めた全周に亘ってコンパウンドカスが溜まらないようにできる。よって、上記カスがある程度溜まって材料と共に押し出されることで製品の外観に膨れが発生する所謂芯金カスの問題を防止でき、品質が向上する。
【発明を実施するための最良の形態】
【００１７】
以下、本発明の好適な一実施形態を図１及び図２に基づいて詳述する。
【００１８】
図２に本実施形態に係る押出被覆成型機のコンパウンドカス除去装置１の概要を示す。図示された押出被覆成型機１は、図４を用いて既述したものと同一であるので詳しい説明を省略する。なお、簡単に説明すると、押出機ヘッド４の口金７に芯金６を設け、芯金６に電線や導体等の心線２を通過させつつ芯金６と口金７の間にコンパウンド３を加圧流動状態で供給して、心線２にコンパウンド３を被覆するものである。
【００１９】
押出機ヘッド４の上流側には、心線２を芯金６に案内するケーブルガイド２０が配置されている。このケーブルガイド２０は、本実施形態の特徴となる部分であり、心線２をその走行方向と直交する面（又は略直交する面）内にて偏芯円運動させるように、工夫が施されている。以下、ケーブルガイド２０について説明する。
【００２０】
図１（ａ）、（ｂ）に示すように、ケーブルガイド２０は、鼓状に形成されたケーブルガイド本体２１を有する。このガイド本体２１は、円錐の頂部を斜めに切断したもの（斜め截頭円錐）２２、２２同士を夫々の中心線Ｌ２を一致させて切断面で接合してなる鼓体２３と、鼓体２３に上記中心線Ｌ２から偏芯して設けられた回転軸２４とを備える。
【００２１】
すなわち、ケーブルガイド２０は、心線２を芯金６に案内する鼓状のガイド本体２１を有し、このガイド本体２１の中央に形成されて心線２を実質的に案内する円周凹部２５が、図１（ｂ）に示すように心線２の供給方向（走行方向）に対して傾斜されると共に、図１（ａ）に示すようにガイド本体２１の回転軸２４の中心Ｚより偏芯されて形成されている。
【００２２】
心線２は、円周凹部２５に接触し、この円周凹部２５に案内されて芯金６に向かう。ここで、円周凹部２５は、図１（ｂ）に示すように、心線２の供給方向に対して傾斜されているので、ガイド本体２１の回転に伴って、心線２と接触してガイドする部分が、心線２の走行方向から見て、左右に往復移動する。これにより、心線２が左右に振られる。
【００２３】
また、円周凹部２５は、図１（ａ）に示すように、その中心Ｚ１がガイド本体２１の回転軸２４の中心Ｚ２より偏芯されているので、ガイド本体２１の回転に伴って、心線２と接触してガイドする部分が、心線２の走行方向の側方から見て、上下に往復移動する。これにより、心線２が上下に振られる。
【００２４】
このように、円周凹部２５の心線２と接触して心線２を案内する部分は、左右方向に往復移動しつつ上下方向にも往復移動し、結果として心線２の走行方向の軸廻りに偏芯円運動することになる。よって、この部分に案内される心線２が、心線２の走行方向の軸廻りに偏芯円運動される。
【００２５】
図例では、図１（ｂ）に示すように、円周凹部２５を通って径方向に延長された線Ｌ３とガイド本体２１の軸方向の中点と直交する中心線Ｌ４との最大ずれ量をｘとし、図１（ａ）に示すように、ガイド本体２１の中心Ｚ１を通る直径線Ｌ１と回転軸２４の中心Ｚ２を通る直径線Ｌ５との最大ずれ量をｙとすると、ｘ＝ｙに設定されている。
【００２６】
よって、円周凹部２５の心線２と接触して心線２を案内する部分は、ガイド本体２１の回転に伴って真円状の偏芯円運動をし、心線２が真円状に偏芯円運動される。
【００２７】
本実施形態の作用を述べる。
【００２８】
図２に示すように、押出機ヘッド４の上流側の心線２が、ケーブルガイド２０によって、上述したように心線２と直交する面内にて心線２の走行方向の軸廻りに真円状に偏芯円運動されるので、芯金６内の心線が、図２に矢印Ｂで示すように、心線２と直交する面内にて真円状に偏芯円運動される。
【００２９】
詳しくは、芯金６の内部に形成された円状の通路５は、心線２のスムーズな通過を確保すべく心線２との間に所定の隙間が確保されるように形成されるため、この隙間において心線２が上述した矢印Ｂで示すように偏芯円運動されるのである。
【００３０】
このように、心線２が芯金６内で偏芯円運動されつつ芯金６を通過するので、芯金６の先端部６ａにおいて、コンパウンド３のカスが上下及び左右を含めた全周に亘って溜まらないようになる。特に、本実施形態では、偏芯円運動を真円状としているので、芯金６の先端部６ａにおいて、コンパウンド３のカスが全周に亘って均一に溜まらないようになる。
【００３１】
また、仮に先端部６ａにおいてコンパウンド３のカスが溜まったとしても、上記偏芯円運動によって先端部６ａのカスが溜まりの初期段階で全周に亘ってこまめに除去される。
【００３２】
よって、ある程度溜まったカスが材料と共に押し出されて製品の外観に膨れが発生する所謂芯金カスの問題を防止でき、品質が格段に向上する。
【００３３】
なお、図例では、図１（ｂ）において、円周凹部２５から左端部までの寸法Ｘ１を３０ｍｍとし、円周凹部２５から右端部までの寸法Ｘ２を４０ｍｍとし、最大ずれ量ｘ及びｙを５ｍｍとしたが、この寸法に限られるものではない。
【００３４】
また、図１に示すケーブルガイド２０の代わりに、図３に示す従来の上下偏芯ケーブルガイド８を心線２の走行方向に対して斜めに傾けて設置し、その回転軸１１を心線２と直交するように設定しても本実施形態と同様の効果が得られる。
【００３５】
また、上記ケーブルガイド２０に代わりに、心線２が挿通される筒状又はリング状のガイドを設け、このガイドを別途のアクチュエータによって心線２の走行方向の軸廻りに偏芯円運動させるようにしてもよい。
【図面の簡単な説明】
【００３６】
【図１】本発明の好適実施形態に係るケーブルガイドの説明図であり、（ａ）は側面図、（ｂ）は正面図である。
【図２】上記ケーブルガイドが用いられる押出被覆成型機のコンパウンドカス除去装置の概略図である。
【図３】従来のケーブルガイドの説明図であり、（ａ）は側面図、（ｂ）は正面図である。
【図４】従来のケーブルガイドが用いられる押出被覆成型機のコンパウンドカス除去装置の概略図である。
【符号の説明】
【００３７】
１  押出被覆成型機
２  心線
３  コンパウンド
４  押出機ヘッド
６  芯金
７  口金
２０  ケーブルガイド
２２  円錐の頂部を斜めに切断したもの（斜め截頭円錐）
２３  鼓体
２４  回転軸
２５  円周凹部
Ｚ  回転中心
Ｌ２  中心線
【図１】
2005212148.tif 000003
【図２】
2005212148.tif 000004
【図３】
2005212148.tif 000005
【図４】
2005212148.tif 000006